(57)【要約】モバイル端末が、送信電力制限またはデータ再送信限度なしで、そのデータ送信がそのアクティブ・セット内の基地局のそれぞれにおいて独立してかつ首尾よく復号されることができるようにするために、オーバ・ジ・エア・フィードバックによって制御される。復号されたデータを使用して、チャネルが再推定され、モバイル端末から受信された波形が、復号が成功したアクティブ・セット内の各基地局で総干渉から再構成され減算される。その結果として、そのような基地局でこれから首尾よく復号されなければならない他のモバイル端末からの送信は、より高い信号対雑音比、およびしたがって首尾よく復号される増大した可能性を経験するであろう。
2009534926.tif 000002
【特許請求の範囲】
【請求項１】
サービス提供基地局および少なくとも１つの非サービス提供基地局を含む基地局のモバイル端末のアクティブ・セット内の複数の基地局にデータ・パケットを送信しているハンドオフにある前記モバイル端末における方法であって、
前記モバイル端末の送信電力がその最大電力にあるかまたは前記送信電力が予め決められた量だけ前記サービス提供基地局によって目標にされた電力を超えていない限り、前記パケットの再送信限度の終わりに、前記送信電力を上げるコマンドか、パケットの首尾よい復号の否定応答ＮＡＣＫのいずれかを前記アクティブ・セット内の前記基地局のうちのいずれかから受信することに応答して、前記モバイル端末の送信電力を上げるステップを備える方法。
【請求項２】
前記モバイル端末の送信電力が予め決められたアップ・ステップによって上げられる、請求項１に記載の方法。
【請求項３】
前記送信電力がその最大電力にある場合か、または前記送信電力が予め決められた量だけ前記サービス提供基地局によって目標にされた電力を超えていて、前記モバイル端末が前記アクティブ・セット内の前記基地局のいずれかからその送信電力を上げるコマンドを受信した場合、前記サービス提供基地局から受信されたコマンドに応答してだけ、前記送信電力のアップまたはダウンを制御する、請求項１に記載の方法。
【請求項４】
前記送信電力がその最大電力にある場合か、または前記送信電力が予め決められた量だけ前記サービス提供基地局によって目標にされた電力を超えていて、前記モバイル端末が前記アクティブ・セット内の前記基地局のうちのいずれかからその送信電力を上げるコマンドを受信した場合、前記モバイル端末が、それが前記アクティブ・セット内の前記基地局のいずれかからそうするコマンドを受信した場合、その送信電力を下げる、請求項１に記載の方法。
【請求項５】
前記送信電力を上げる受信されたコマンドまたは受信されたＮＡＣＫの信頼性を判定し、前記受信されたコマンドまたは受信されたＮＡＣＫが信頼可能であると判定された場合だけ前記送信電力を上げるステップをさらに備える、請求項１に記載の方法。
【請求項６】
前記送信電力がその最大電力にある場合か、または前記送信電力が予め決められた量だけ前記サービス提供基地局によって目標にされた電力を超えていて、前記モバイル端末が前記アクティブ・セット内の前記基地局のいずれかからＮＡＣＫを受信した場合、その後のパケット送信のために、前記モバイル端末が、それが前記アクティブ・セット内の前記基地局のうちの少なくとも１つから首尾よい復号の肯定応答ＡＣＫを受信しない場合だけ、その送信電力を上げる、請求項１に記載の方法。
【請求項７】
前記送信電力がその最大電力にある場合か、または前記送信電力が予め決められた量だけ前記サービス提供基地局によって目標にされた電力を超えていて、前記モバイル端末が前記アクティブ・セット内の前記基地局のうちのいずれかからその送信電力を上げるコマンドを受信した場合、その後のデータ送信のために、前記モバイル端末が、それが前記サービス提供基地局からＮＡＣＫを受信した場合だけ、その送信電力を上げ、それが前記サービス提供基地局からＡＣＫを受信した場合は、その送信電力を下げる、請求項１に記載の方法。
【請求項８】
サービス提供基地局および少なくとも１つの非サービス提供基地局を含む基地局のモバイル端末のアクティブ・セット内の複数の基地局にデータ・パケットを送信しているハンドオフにある前記モバイル端末における方法であって、
前記パケットがその再送信限度に達していない限り、前記アクティブ・セット内の前記基地局のうちのいずれかから前記パケットの首尾よい復号の否定応答ＮＡＣＫを受信することに応答してパケットを再送信するステップを備える方法。
【請求項９】
前記パケットの再送信限度に達している場合、前記モバイル端末が前記アクティブ・セット内の前記基地局のうちの少なくとも１つから首尾よい復号の肯定応答ＡＣＫを受信しない場合だけ、前記モバイル端末によって送信されたその後のパケットを再送信する、請求項８に記載の方法。
【請求項１０】
前記パケットの再送信限度に達している場合、前記サービス提供基地局からＮＡＣＫが受信された場合だけ、前記モバイル端末によって送信されたその後のパケットを再送信する、請求項８に記載の方法。
【発明の詳細な説明】
【技術分野】
【０００１】
本発明は、無線通信に関する。
【背景技術】
【０００２】
無線通信では、モバイル端末は、１つまたは複数の基地局から双方向無線リンクを介してデータを送受信する。モバイル端末送信方向は、アップリンクとして知られており、モバイル端末受信方向は、ダウンリンクとして知られている。モバイル端末が通信している基地局のセットは、そのモバイル端末のための基地局のアクティブ・セット、またはそのモバイル端末のアクティブ・セットとして知られている。モバイル端末が基地局のカバレッジ・エリア内にある通常の状況の間は、そのモバイル端末のためのアクティブ・セットは、アクティブ・セットがそのモバイル端末のサービス提供局である１つの基地局だけを含むように、一般に、単一の基地局であろう。しかし、モバイル端末が複数の基地局の範囲内にあり、したがってハンドオフ状態にある場合は、アクティブ・セットは複数の基地局を含み、これらの基地局はそれぞれ、そのモバイル端末からの信号をモニタリングしていて、そうすることができる場合は、それを復号している。しかし、基地局のうちの１つだけがそのモバイル端末に対するサービス提供基地局であり、残り全ての基地局は非サービス提供基地局である。図１は、３つの基地局１０１、１０２および１０３、ならびにそれらのそれぞれのセル・カバレッジ・エリア１０４、１０５および１０６を示す。モバイル端末１０７が、そのサービス提供基地局である基地局１０１のカバレッジ・エリア１０４内に示されている。しかし、サービス提供基地局１０１の他に、非サービス提供基地局１０２および１０３もモバイル端末１０７のためのアクティブ・セットを構成する。
【０００３】
データ・システムでは、モバイル端末１０７はダウンリンク上で１つの基地局だけからデータを受信するが、モバイル端末は、最高の信号対雑音比を有する信号をどの基地局から受信するかに応じてそのアクティブ・セット内の任意の他の基地局からデータを受信するために、サービス提供基地局を再選択する選択肢を有する。アップリンク上で、サービス提供基地局および非サービス提供基地局はそれぞれ、モバイル端末からの送信を復調し復号しようと試みる。
【０００４】
無線システムの容量は、データを同時に送信または受信することができるモバイル端末の数か、それともこれらのモバイル端末の総データ・レートのいずれかを指し、モバイル端末／セクタ、アーラン／セクタ、またはデータ・スループット／セクタのいずれかで表される。システムのアップリンク容量は、そのダウンリンク容量と異なっていてもよい。音声など、対称サービス（すなわち、アップリンク上でのモバイル端末のために必要とされるスループット／データ・レートが、ダウンリンク上でのそれと等しい）では、システム容量全体がアップリンク容量およびダウンリンク容量の低いほうによって限定される。ＣＤＭＡ２０００  １ｘ、ＥＶ−ＤＯ  Ｒｅｖ  ０およびＲｅｖ  Ａ、ＨＳＤＰＡ／ＥＤＣＨ、ならびにＷｉＭＡＸなどの規格によって規定されている現在の無線システムでは、アップリンクはダウンリンクよりかなり低い容量を有する。この不均衡は、ダウンリンク容量のフル使用のために、およびシステム上で対称サービスを実行することができるモバイル端末の数を最大化するために、改善される必要がある。
【０００５】
直接拡散または（任意選択でプリコーディングによる）マルチキャリアＣＤＭＡに基づく無線システムでは、１つのセクタ内の（および複数のセクタにまたがる）複数のモバイル端末は、それらのそれぞれのアクティブ・セットと通信するために周波数トーンの拡散シーケンスまたはセットを再使用し、モバイル端末固有のコードによって区別される。アップリンク・セクタ容量を増やすための機構は、基地局トランシーバにおいてこれらの送信に対して連続干渉除去を実施することである。図２は、基地局雑音増加要素を示す。図示されているように、基地局受信機２００において、セクタ内の熱雑音による総増加は、その基地局がそのためのサービス提供基地局であるそのセクタ内のモバイル端末からのコンポジット信号２０１、および隣接するセクタ内で送信しているモバイル端末によって引き起こされたセル外干渉２０２から成る。セル外干渉２０２は、隣接するセクタ内のそれらのモバイル端末からの干渉であって、それらのモバイル端末のための基地局受信機２００がこれらのモバイル端末のアクティブ・セット内にあるが、これらのモバイル端末のための基地局２００が非サービス提供である、干渉と、それに加えて、そのようなモバイル端末それぞれのアクティブ・セット内の基地局２００を含まない他のセクタ内の他の送信モバイル端末によって引き起こされた干渉とを含む。
【０００６】
干渉除去の一例示的方法は、２００３年３月３１日に出願され、２００４年９月３０日に米国特許出願公開第ＵＳ２００４／０１９２２０８Ａ１号として公開された同時係属特許出願第１０／４０１，５９４号に開示されている。そのような干渉除去法を使用して、いかなるモバイル端末の復号も成功した場合は、その信号が基地局でコンポジット受信信号から再構成され減算される。図３は、基地局受信機３００のセクタ内の４つのモバイル端末３０１、３０２、３０３および３０４のためのサービス提供基地局であるその例示的基地局受信機３００における連続干渉除去方式を示す。モバイル端末３０１、３０２、３０３および３０４からの基地局受信機３００における受信電力は、それぞれ、Ｐ＿１、Ｐ＿２、Ｐ＿３およびＰ＿４である。さらに、基地局受信機３００は、セクタ外のモバイル端末からの送信によって引き起こされたセル外干渉（ＩＯＣ）の結果としてのコンポジット信号電力を受信する。セクタ内からのモバイル端末からの特定の送信が、基地局受信機によって首尾よく復号された場合は、送信は、基地局でコンポジット信号から再構成され減算され、その後、別の受信信号が、残りのコンポジット信号から復調され、復号され、再構成され、減算される。このプロセスは残りの信号の１つごとに繰り返される。有利には、後で変調および復号プロセスで復号されるモバイル端末からの信号は、その手順で前に復号されたモバイル端末からの送信からの干渉を「見ない」。図３は、それぞれ、４つのモバイル端末３０１〜３０４の信号対雑音比（Ｓｎｒ＿１〜Ｓｎｒ＿４）の連続算出を示す。モバイル端末３０１から開始して、Ｓｎｒ＿１は、Ｐ＿１／（Ｐ＿２＋Ｐ＿３＋Ｐ＿４＋ＩＯＣ＋Ｎ）として算出され、式中、Ｎは測定可能な熱雑音である。それぞれからの寄与は、基地局受信機で受信コンポジット信号から連続して減算され、その結果、最後のモバイル端末３０４に関するＳｎｒ＿４は、Ｐ＿４／（ＩＯＣ＋Ｎ）として算出される。後で復号されるモバイル端末は、より高い信号対雑音比を見るので、より高い伝送速度および／または高められた信頼性をサポートすることができる。
【０００７】
前述のシナリオでは、基地局受信機が、それらのアクティブ・セット内のこの基地局セクタを有する全てのモバイル端末の送信を首尾よく復号することは不可能である。その結果として、基地局受信機によって受信機されたセル外干渉の大多数は、減算されることができない。したがって、上記のように、基地局３０４の信号対雑音比は、依然としてこのセル外干渉ＩＯＣによって限定される。
【０００８】
通常、モバイル端末によって従われる電力制御ルールは、（ｉ）そのアクティブ・セット内のサービス提供セクタからの電力制御コマンドに従うことか、それとも（ｉｉ）ｏｒ−ｏｆ−ｔｈｅ−ｄｏｗｎｓとして知られているルールに従い、それによって、モバイル端末が、アクティブ・セット内の基地局のうちのいずれかがダウン電力制御コマンドによってそれにそうするように命令した場合、その電力を下げることかのいずれかである。ｏｒ−ｏｆ−ｔｈｅ−ｄｏｗｎｓ電力制御は、少なくとも１つの基地局（多分、モバイル端末からの最良のアップリンク接続を有するもの）におけるモバイル端末の送信の首尾よい受信を確実にするが、それはまた、モバイル端末の送信が、アクティブ・セット内の全ての基地局で首尾よく復号可能であるのに適した信号対雑音比で受信されないことを確実にする。したがって、この復号できない干渉が、連続干渉除去を利用したシステムからの容量利得を限定する。セクタ内のモバイル端末は、基地局受信機でそれらの信号対雑音比を高める（したがって、より高いデータ・レートを達成する）ために、絶えず増大している電力で送信するので、隣接するセクタへのそれらの干渉は比例して増大し、それによってそれらのセクタでモバイル端末によって達成されることができる信号対雑音比を限定する。次に、隣接するセクタ内のモバイル端末からの干渉は、まず第一にその電力を上げた考慮中のセクタに関するモバイル端末のための利得をマージナライズする。
【０００９】
したがって、信号対雑音比が全てのセクタ内モバイル端末のために改善されることができるように、基地局受信機がセル外干渉をコンポジット受信信号から再構成し減算することができるようにする方法が望まれる。
【特許文献１】同時係属特許出願第１０／４０１，５９４号
【特許文献２】米国特許出願公開第ＵＳ２００４／０１９２２０８Ａ１号
【発明の開示】
【課題を解決するための手段】
【００１０】
本発明の一実施形態では、モバイル端末は、送信電力制限またはデータ送信限度がない場合は、そのデータ送信がそのアクティブ・セット内の基地局のそれぞれで独立してかつ首尾よく復号されることができるようにするために、オーバ・ジ・エア・フィードバックによって制御される。復号されたデータを使用して、チャネル（すなわち、時間領域または周波数領域チャネル応答におけるマルチパス・プロフィール）が再推定され、モバイル端末から受信された波形が、復号が成功したアクティブ・セット内の各基地局における総干渉から再構成され減算される。その結果として、そのような基地局でこれから首尾よく復号されなければならない他のモバイル端末からの送信は、より高い信号対雑音比、およびしたがって首尾よく復号される増大した可能性を経験するであろう。
【００１１】
本方法は、連続干渉除去を使用する上述のシステム、または、周波数トーンの所与のセットによるセル内送信を１つだけ可能にするＯＦＤＭＡシステムなど、セル外干渉が１つまたは複数のセル内モバイル端末の信号対雑音比を限定するいかなるシステムででも使用されることができる。
【００１２】
様々な実施形態では、モバイル端末によるデータの送信は、このデータが電力制限または再送信制限なしでそのアクティブ・セット内の基地局によって首尾よく復号されることができることを保証するために、これらの基地局からのオーバ・ジ・エア・フィードバックに応答して制御される。本発明の第１の実施形態では、ハンドオフにある（すなわち、モバイル端末のアクティブ・セットが２つ以上である）間は、モバイル端末の送信電力は、そのアクティブ・セット内の全ての基地局から受信されたオーバ・ジ・エア電力制御コマンドによって制御される。ハンドオフにあるモバイル端末は、モバイル端末のアクティブ・セット内のいずれかの基地局がダウン電力制御コマンドによってモバイル端末にそうするように命令した場合は、モバイル端末がその送信電力を下げるｏｒ−ｏｆ−ｔｈｅ−ｄｏｗｎｓ電力制御ルールを利用するのではなく、アクティブ状態にあるいずれかの基地局がモバイル端末に上がるように命令した場合、モバイル端末がその送信電力を上げてもよいｏｒ−ｏｆ−ｔｈｅ−ｕｐｓルールに従い、それによって、そのアクティブ・セット内の全ての基地局におけるその送信の復号可能性を保証する。しかし、モバイル端末がそのアクティブ・セット内の基地局からパワー・アップ・コマンドを受信し、モバイル端末がすでにその最大許容電力で送信していた場合、または、その送信電力が、サービス提供基地局がモバイル端末に送信していてもらいたい電力より予め決められた量だけ大きい場合、モバイル端末は、ｏｒ−ｏｆ−ｔｈｅ−ｄｏｗｎｓ電力制御ルールに戻るか、それとも、サービス提供基地局から受信された電力制御コマンドに従うだけである。
【００１３】
第２の実施形態では、ハンドオフにあるモバイル端末の送信電力は、モバイル端末によるデータ・パケットの送信に応答してモバイル端末のアクティブ・セット内の基地局から受信されたオーバ・ジ・エアの肯定応答および否定応答（それぞれ、ＡＣＫＳおよびＮＡＣＫＳ）によって制御される。モバイル端末は、そのアクティブ・セット内の基地局からのＡＣＫ／ＮＡＣＫ応答をモニタリングし、同時に、サービス提供基地局におけるパケットの首尾よい受信のために必要とされる送信電力を追跡する。パケットの再送信限度で、ハンドオフにあるモバイル端末が、そのアクティブ・セット内のいずれかの基地局からＮＡＣＫを受信した場合（ｏｒ−ｏｆ−ｔｈｅ−ＮＡＣＫＳルール）、それはその送信電力を上げてもよい。しかし、モバイル端末がそのアクティブ・セット内の基地局のうちの１つからＮＡＣＫを受信し、それがすでにその最大許容電力で送信している場合、または、その送信電力が、サービス提供基地局がモバイル端末に送信していてもらいたい電力より予め決められた量だけ大きい場合、モバイル端末は、その後のパケット送信から、ｏｒ−ｏｆ−ｔｈｅ−ＡＣＫＳ電力制御ルールに戻る（すなわち、モバイル端末のアクティブ・セット内の少なくとも１つの基地局からＡＣＫを受信しない場合だけ、モバイル端末はその送信電力を上げる）か、またはモバイル端末の電力制御のためにサービス提供基地局から受信されたＡＣＫ／ＮＡＣＫフィードバック・コマンドに従うだけである。
【００１４】
第３の実施形態では、ｏｒ−ｏｆ−ｔｈｅ−ＮＡＣＫｓ再送信ルールが使用される。この実施形態では、ハンドオフにあるモバイル端末がそのアクティブ・セット内の基地局からの確認応答をモニタリングする。データ・パケットの送信に応答して、モバイル端末がそのアクティブ・セット内の基地局のいずれかからＮＡＣＫを受信した場合、モバイル端末は、そのパケットに関する再送信限度に達しない限り、そのデータ・パケットを再送信する。そのような限度に達した場合、次のデータ・パケットのためにモバイル端末はｏｒ−ｏｆ−ｔｈｅ−ＡＣＫＳルールに従い、その場合、モバイル端末は、それがそのアクティブ・セット内のいずれかの基地局からＡＣＫを受信した場合はパケットを再送信しないか、または代替として、サービス提供基地局から受信された確認応答に従うだけである。
【００１５】
本発明は、添付の諸図面を参照しながら非限定的諸実施形態の以下の説明を読むことから、よりよく理解されるであろう。
【発明を実施するための最良の形態】
【００１６】
図４の流れ図を参照すると、ｏｒ−ｏｆ−ｔｈｅ−ｕｐｓルールに従って動作するモバイル端末で利用される方法が示されている。ステップ４０１で、モバイル端末がハンドオフにあるかどうか（すなわち、アクティブ・セットが２つ以上かどうか）の判定が行われる。さらに、しかし図示されていない、モバイル端末のそのアクティブ・セット内の基地局に対する平均パス損失が互いに予め決められた量より多い量だけ異なるかどうかの任意選択の追加の判定が行われてもよい。ステップ４０２で、モバイル端末は、それがハンドオフにない場合は、その１つのサービス提供基地局から受信された電力制御コマンドに従う。モバイル端末がハンドオフにある場合（かつ、平均パス損失の任意選択の判定が、そのような平均パス損失が互いに予め決められた量より少ない量だけ異なることを示す場合）は、ステップ４０３で、モバイル端末は、そのアクティブ・セット内の基地局からの電力制御コマンドをモニタリングし、サービス提供基地局からの電力制御コマンド（＋１および−１のシーケンス）を累計して、基地局によって目標にされた電力を判定する。詳細には、これらの＋１および−１を累計することによって、サービス提供基地局がモバイル端末に動作してもらいたいであろう電力レベルが判定されることができる。ステップ４０４で、アクティブ・セット内の基地局のうちのいずれかによって受信された電力コマンドのうちのいずれかが、「アップ」であるかどうかの判定が行われる（ｏｒ−ｏｆ−ｔｈｅ−ｕｐｓルール）。「アップ」ではなく、アクティブ・セット内のその基地局の全てにおいて受信された電力レベルが目標にあるかまたは目標より上にあること（および、送信が基地局の全てにおいて成功した可能性があること）を示す場合は、ステップ４０５で、モバイル端末は、予め決められたダウン・ステップによってその送信電力を低減する。ステップ４０４で、アクティブ・セット内の基地局のうちのいずれかから受信された電力コマンドのうちのいずれかが「アップ」である（そこから「アップ」が受信された基地局（１つまたは複数）において送信が成功した可能性がないことを示す）場合は、モバイル端末送信電力が上げられてもよい。しかし、その送信電力を上げる前に、ステップ４０６で、モバイル端末がすでにその最大送信電力にあるかどうか、あるいはモバイル端末送信電力がサービス提供基地局によって目標にされた電力を予め決められた量より多い量だけ超えているかどうかの判定が行われる。どちらかの場合は、ステップ４０７で、モバイル端末は、ｏｒ−ｏｆ−ｔｈｅ−ｄｏｗｎｓ電力制御ルールに戻る（すなわち、モバイル端末は、アクティブ・セット内のいずれかの基地局がそれにそうするように命令した場合、その電力を下げる）。代替として、しかし図示されていない、モバイル端末は、サービス提供基地局だけからの電力制御に従うことに戻る。ステップ４０６で、モバイル端末がその最大送信電力になく、予め決められた量だけサービス提供基地局によって目標にされた電力を超えていない場合は、ステップ４０８で、モバイル端末は、予め決められたアップ・ステップによってその送信電力を上げる。
【００１７】
図５の流れ図を参照すると、ｏｒ−ｏｆ−ｔｈｅ−ＮＡＣＫＳルールに従って動作するモバイル端末で利用される方法が示されている。ステップ５０１で、モバイル端末がハンドオフにあるかどうかの判定が行われる。第１の実施形態の場合と同様に、モバイル端末のアクティブ・セット内の基地局に対するモバイル端末の平均パス損失が互いに予め決められた量より多い量だけ異なるかどうかの任意選択の追加判定が行われてもよい。モバイル端末は、それがハンドオフにない場合は、ステップ５０２で、その１つのサービス提供基地局からの確認応答フィードバック（ＡＣＫＳ／ＮＡＣＫＳ）に従う。モバイル端末がハンドオフにある場合は、（かつ、平均パス損失の任意選択の判定が、そのような平均パス損失が互いに予め決められた量より少ない量だけ異なることを示す場合は）、ステップ５０３で、パケット送信限度の終わりに（すなわち、モバイル端末がデータ・パケットをその最大許容回数まで送信した後で）、モバイル端末は、アクティブ・セット内の全ての基地局からの確認応答をモニタリングする。さらに、サービス提供基地局における首尾よい受信のために必要とされるモバイル端末の送信電力が追跡される。ステップ５０４で、パケット送信限度の終わりに確認応答のいずれかが、ＮＡＣＫ（１つまたは複数）がそこから受信された基地局（１つまたは複数）における首尾よくない受信（ｏｒ−ｏｆ−ｔｈｅ−ＮＡＣＫＳ判定）を示すＮＡＣＫであるかどうかの判定が行われる。いくつかのシステムでは、ＮＡＣＫは、基地局サイレンス、すなわちＡＣＫを送信する基地局がないことによって示されることに留意されたい。応答がいずれもＮＡＣＫでない場合は、パケットがアクティブ・セット内の基地局のそれぞれで首尾よく受信されていて、ステップ５０５で、次のパケット送信のためにモバイル端末電力がダウン・ステップによって低減される。しかし、ステップ５０４で、基地局応答のうちのいずれかがＮＡＣＫである場合は、モバイル端末電力が上げられてもよい。しかし、その送信電力を上げる前に、ステップ５０６で、モバイル端末がすでにその最大送信電力にあるかどうか、あるいは、モバイル端末送信電力が、予め決められた量より多い量だけ、サービス提供基地局によって目標にされた電力を超えているかどうかの判定が行われる。いずれかの場合には、ステップ５０７で、モバイル端末はその後のパケット送信のためにｏｒ−ｏｆ−ｔｈｅ−ＡＣＫＳ電力制御ルールに戻る（すなわち、モバイル端末は、そのアクティブ・セット内の少なくとも１つの基地局からＡＣＫを受信しない場合だけ、その送信電力を上げる）。代替として、しかし図示されていない、モバイル端末は、サービス提供基地局だけから受信されたＡＣＫ／ＮＡＣＫに基づいて電力制御に従うことに戻る。ステップ５０６で、モバイル端末がその最大送信電力になく、予め決められた量だけサービス提供基地局によって目標にされた電力を超えていない場合は、ステップ５０８で、モバイル端末は予め決められたアップ・ステップによってその送信電力を上げる。
【００１８】
図６の流れ図を参照すると、ｏｒ−ｏｆ−ｔｈｅ−ＮＡＣＫＳルールに従って動作するモバイル端末で利用される別の方法が示されている。ステップ６０１で、モバイル端末がハンドオフにあるかどうかの判定が行われる。前に議論された諸実施形態の場合と同様に、さらに、しかし図示されていない、モバイル端末のアクティブ・セット内の基地局に対するモバイル端末の平均パス損失が互いに予め決められた量より多い量だけ異なるかどうかの追加の任意選択の判定が行われてもよい。モバイル端末は、それがハンドオフにない場合は、ステップ６０２で、その１つのサービス提供基地局からの確認応答フィードバックに従う。モバイル端末がハンドオフにある場合は、（かつ、平均パス損失の任意選択の判定が、そのような平均パス損失が互いに予め決められた量より少ない量だけ異なることを示す場合は）、ステップ６０３で、モバイル端末はそのアクティブ・セット内の全ての基地局からの確認応答をモニタリングする。ステップ６０４で、パケット送信に対する基地局応答のうちのいずれかがＮＡＣＫであるかどうかの判定が行われる。ＮＡＣＫでない場合は、ステップ６０５で、モバイル端末は次のデータ・パケットを送信する準備をする。しかし、ステップ６０４で、モバイル端末がそのアクティブ・セット内の１つまたは複数の基地局からＮＡＣＫを受信した場合は、モバイル端末はパケットを再送信してもよい。ステップ６０６で、このパケットに関する再送信限度に達していない場合は、ステップ６０８で、モバイル端末はデータ・パケットを再送信する。しかし、ステップ６０６で、このパケットに関する再送信限度に達している場合は、ステップ６０７で、その後のパケットのための再送信がｏｒ−ｏｆ−ｔｈｅ−ＡＣＫＳルールに基づいて行われ、この場合、アクティブ・セット内のいずれかの基地局からＡＣＫが受信された場合は、パケットは再送信されない。代替として、しかし図示されていない、再送信限度に達している場合は、その後のパケットのための再送信は、サービス提供基地局からだけ受信されたＡＣＫ／ＮＡＣＫ確認応答に基づいてもよい。
【００１９】
上述の実施形態のそれぞれでは、モバイル端末は、その送信電力を上げるか上げないか、あるいはパケットを再送信するかしないかを判定するために、モバイル端末がそのアクティブ・セット内の基地局から受信したＡＣＫＳまたはＮＡＣＫＳ、あるいは電力制御ビットの信頼性を判定するテストを行ってもよい。詳細には、受信されたＡＣＫＳ／ＮＡＣＫＳまたは電力制御ビットの受信電力が閾値と比較されることができる。ＡＣＫＳおよびＮＡＣＫＳが両方とも肯定して送信されるシステムでは、電力が閾値より大きい場合は、受信されたＡＣＫＳ／ＮＡＣＫＳまたは電力制御ビットは、信頼可能であるとみなされ、送信電力の増／減またはパケットの再送信の適切な判定を行うために使用されることができる。他方、電力が閾値より低い場合は、電力を上げるかまたはパケットを再送信する決定は、信頼可能であるとみなされるＡＣＫＳ／ＮＡＣＫＳまたは電力制御ビットに基づいてだけ行われる。基地局サイレンスによってＮＡＣＫが示されるシステムでは、その電力が閾値より低ければ、ＮＡＣＫは信頼可能であるとみなされるであろう。
【００２０】
モバイル局のデータ送信の首尾よい復号直後に、そのモバイル端末からの受信信号が、他のモバイル端末の送信を復号する前に、コンポジット受信信号から再構成され減算され、それに伴って、これらの他のモバイル端末の送信の信号対雑音比が改善される。電力制御またはＡＣＫ／ＮＡＣＫフィードバックのためにフォールバック・ポジションを採用したモバイル端末では、非サービス提供基地局にもたらされた干渉の量は低減される可能性があり、それらの送信を首尾よく復号することができないことによる負担が軽減される。
【００２１】
前に議論されたように、説明された方法は、セル外干渉が１つまたは複数のセル内モバイル端末の信号対雑音比を限定するいかなるシステムででも使用されることができる。そのようなシステムの例には、連続干渉除去を利用するシステム、または周波数トーンの所与のセットによる１つのセル内送信だけを許可するＯＦＤＭＡシステムがある。
【００２２】
上述の実施形態は、本発明の原理を例示するものである。
【図面の簡単な説明】
【００２３】
【図１】モバイル端末、ならびにそのアクティブ・セット内のサービス提供基地局および非サービス提供基地局の従来技術の構成を示す図である。
【図２】基地局雑音増加要素を示す図である。
【図３】基地局受信機のセクタ内の４つのモバイル端末のためのサービス提供基地局である例示的基地局受信機における従来技術の連続干渉除去方式を示す図である。
【図４】ハンドオフ中にモバイル端末の送信電力を制御する際にｏｒ−ｏｆ−ｔｈｅ−ｕｐｓルールを利用する第１の実施形態によるそのモバイル端末におけるステップを示す図である。
【図５】ハンドオフ中にモバイル端末の送信電力を制御する際にｏｒ−ｏｆ−ｔｈｅ−ＮＡＣＫＳルールを利用する第２の実施形態によるそのモバイル端末におけるステップを示す図である。
【図６】ハンドオフ中にデータのモバイル端末の再送信を制御する際にｏｒ−ｏｆ−ｔｈｅ−ＮＡＣＫＳルールを利用する第３の実施形態によるそのモバイル端末におけるステップを示す図である。
【図１】
2009534926.tif 000003
【図２】
2009534926.tif 000004
【図３】
2009534926.tif 000005
【図４】
2009534926.tif 000006
【図５】
2009534926.tif 000007
【図６】
2009534926.tif 000008
【国際調査報告】
2009534926.tif 000009
2009534926.tif 000010
2009534926.tif 000011